(57)【要約】【課題】従来、重要な機密書類・文書等の場合、それをシュレッダで細断廃棄処理しても、担当者、処理すべき者、処理を命じられた者などが、その機密書類・文書等を、間違いなく確実に、細断廃棄処理したか否かの確証が無い。 誰が、何時、何処で、細断廃棄処理したか、不明であり、証明できない。後日、内容を知りたい事情が生じた場合、細断廃棄処理してしまった後は、完全に不可能である等の大きな課題があった。【解決手段】機密書類を細断する前に、１枚宛その表・裏面の各イメージ情報をデジタル信号に変換して入力・記憶・保存するように備えた、スキャナー付シュレッダを提供し、また、システムを統括する情報管理センターのサーバーと複数のクライアント をＬＡＮ等でネットワーク構築すると共に、情報管理センターのサーバーとクライアント毎に備えた、本発明スキャナー付シュレッダのスキャナーをＬＡＮ等でネットワーク構築したものである、スキャナー付シュレッダによる機密書類管理システムを提供して課題を解決した。【選択図】図１
2009011942.tif 000002
【特許請求の範囲】
【請求項１】
機密書類をロールカッターその他のカッターで細断して廃棄処理するように備えたものであるシュレッダにおいて、
投入された１枚以上の機密書類を、１枚宛に分離してから、１枚宛カッターで細断するように備えると共に、
機密書類を１枚宛に分離してカッターへ送給する間に、該１枚の機密書類の表・裏面を各別にスキャンするスキャナーを備えたものであり、
該スキャナーによって、機密書類を細断する前に、１枚宛その表・裏面の各イメージ情報をデジタル信号に変換して入力・記憶・保存するように備えたことを特徴とする、
スキャナー付シュレッダ。
【請求項２】
上面に開けた投入口から投入された機密書類を１枚以上重ねた状態で収容する収容室を備え、該収容室に機密書類が投入されたことを検知するセンサーを備え、
また、主電源スイッチをパスワード、ＩＤ等による認証者だけがＯＮ・ＯＦＦ操作できるように備え、
収容室の下端部に、室内の１枚以上重なった機密書類の下端部を収容室の一方の内側面にばねの弾力等で押付ける押付板と、該内側面に圧接した１枚の機密書類の下端部を回転摩擦で引き出し、１枚宛に分離してロールカッターへ送給する分離送給ローラーからなる、１枚分離送給機構を備え、
１枚送給されてくる機密書類を細断するロールカッターと、細断された紙片を下部に備えた圧縮スクリューへ滑落するシュートと、シュートを滑落してくる細断紙片をスクリュー間に導入しスクリュー搬送してスクリュー端で団子状に圧縮する圧縮スクリューと、団子状細断紙片を下方へ排出する排出ローラーを備え、
排出ローラーで排出落下する団子状細断紙片を貯留するダストボックスを備えたシュレッダを設けると共に、
該シュレッダの、収容室の上記内側面の下端部付近に、該内側面に直面した１枚の機密書類の該直面(表面又は裏面)をスキャンするスキャナーを備える一方、同１枚の機密書類が１枚分離送給機構で１枚に分離されて次位のロールカッターへ送給される途中位置に、同機密書類の反対側の面(裏面又は表面)をスキャンするスキャナーを備えたものである、
請求項１のスキャナー付シュレッダ。
【請求項３】
システムを統括する情報管理センターのサーバー(データーベースサーバーコンピュータ)と複数のクライアント(コンピュータ・パソコン) をＬＡＮ等でネットワーク構築すると共に、
情報管理センターのサーバーとクライアント毎に備えたスキャナー付シュレッダのスキャナーをＬＡＮ等でネットワーク構築したものである、機密書類管理システムであり、
上記機密書類は、機密保持、漏洩防止の対象となる情報であって、リスト状の紙、プラスチック等のシュレッダで細断処理が可能なものに情報を記録したもの、主として紙の機密書類であり、
上記キャナー付シュレッダは、投入された１枚以上の機密書類を、１枚宛に分離してから、１枚宛カッターで細断するように備えると共に、機密書類を１枚宛に分離してカッターへ送給する間に、該１枚の機密書類の表・裏面を各別にスキャンするスキャナーを備えたものであり、
『Ａ』外部からの機密書類その他情報管理センターが管理する機密書類については、
(１)．情報管理センターがデーターベースサーバーとなって各機密書類のデーターを作成・管理・保管し、また、各機密書類の「評価リスト」を作成し、
該評価リストには、管理会議等で定めた(1)機密ランク、(2)配布送・送信先、(3) 受信者の管理条件・処分制限時間等の管理必要事項を記し、以後、機密書類の管理・処分等はこれに従って行い、
(２)．機密書類(ファイル)を情報管理センターからクライアントへ、パスワード・ＩＤ等の認証(要)で送信し、
(３)．受信したクライアントは、認証(済)で機密書類(ファイル)を開き、「評価リスト」に従って、例えば、直ちに、設定部数プリントアウトし、同時にコンピュータの該機密書類(ファイル)を完全削除し、
若しくは、管理ソフトで、プリントアウト終了と同時に自動削除し、
(４)．受信者の手元にあるプリントは、「評価リスト」に記載された制限時間内に、スキャナー付シュレッダで細断処理し、
(５)．シュレッダで細断処理する前に、１枚宛表・裏面をスキャナーでスキャンして、そのデーターを情報管理センターのサーバーに自動的に記録・保存し、
(６)．受信者の手元にあるプリントには、管理ソフトで、コピー(複製)制限を付け、また、管理ソフトで、クライアント相互間の該機密書類ファイルの遣り取りを制限し、
(７)．受信者がプリントを保管している間、情報管理センターへ外出、退社等連絡し、若しくは持参して預け、
(８)．情報管理センターは、スキャナーによる機密書類データーを必要期間保管し、若しくは削除し、若しくは再生しプリントし、但し、管理ソフトで、再生データー、プリント等には、それが一旦廃棄処分したものの再生であることを明示するようにし、
(９)．上記のようにして、情報管理センターは、常時、機密書類の内容、所在、廃棄処分(日時)等を把握して、機密書類の存在・不存在・内容等を確定するようにしたものであり、また、
『Ｂ』内部において機密書類を作成した場合については、
(１)．書類等の作成者は、該書類等を、第１番に、情報管理センターへ送付・送信し、情報管理センターがその書類を「機密書類」と認定した場合は「評価リスト」を作成して、作成者に知らせ、
(２)．該機密書類を、情報管理センターから関係クライアントへ、パスワード・ＩＤ等の認証(要)で送信し、
また、管理ソフトで、作成者と他のクライアントが直接該機密書類ファイルを遣り取りすることを制限し、
(３)．以降、上記『Ａ』の(３)〜(９)と同じくして、機密書類を管理するようにしたことを特徴とする、
スキャナー付シュレッダによる機密書類管理システム。
【発明の詳細な説明】
【技術分野】
【０００１】
「機密書類」・本発明おける、シュレッダで細断処理する対象物は、機密保持、漏洩防止の対象となる情報であって、シート状の紙、プラスチック等のシュレッダで細断処理が可能なものに情報を記録したもの、主として紙の機密書類であり、以下、これらを単に「機密書類」と略記する。
【０００２】
本発明は、該機密書類を１枚宛に分離してカッターへ送給する間に、その１枚の機密書類の表・裏面を各別にスキャンするスキャナーを備えたものであり、該スキャナーによって、機密書類を細断する前に、１枚宛その表・裏面の各イメージ情報をデジタル信号に変換して入力・記憶・保存するように備えたことを特徴とする、スキャナー付シュレッダを開発し提供するものであり、
【０００３】
また、システムを統括する情報管理センターのサーバー(データーベースサーバーコンピュータ)と複数のクライアント(コンピュータ・パソコン) をＬＡＮ等でネットワーク構築すると共に、
情報管理センターのサーバー(データーベースサーバーコンピュータ)とクライアント毎に備えた、本発明スキャナー付シュレッダのスキャナーをＬＡＮ等でネットワーク構築したものである、スキャナー付シュレッダによる機密書類管理システムを開発し提供するものである。
【背景技術】
【０００４】
近時、官公署、企業、個人等（以下、企業等）における機密情報の漏洩に関する調査によると、その発生原因の三分の二が内部のミス、不正、犯罪にあると言われており、今後は、企業等にとって、内部のミス、不正、犯罪を防ぐ対策を講じることが重要な課題である。
【０００５】
よって、企業等は、例えば、書類、文書、ファイル等の中身が漏洩防止対象となる機密情報書類であるか否かを、常時、判別、決定、認定することが必要であり、例えば、用済み機密情報書類は確実に廃棄処分し、また、機密情報をコピー、印刷しようとする者があれば、リアルタイムにこれをチェックして防止等の対策をとることなどが重要な課題とされている。
【０００６】
そこで、従来、機密保持、情報漏洩防止等の一つの手段として、主として機密書類・文書等を細断処理してから廃棄するようにしたシュレッダ(ｓｈｒｅｄｄｅｒ)が広く使用されている。
【０００７】
ところが、従来、シュレッダで細断廃棄処理した場合でも、特に、それが重要な機密書類・文書等である場合、例えば、
(1).担当者、処理すべき者、処理を命じられた者などが、その機密書類・文書等を、間違いなく確実に、細断廃棄処理したか否かの確証が無い。
(2). 誰が、何時、何処で、細断廃棄処理したか、不明であり、証明できない。
(3).細断廃棄処理したものが、間違いなくその機密書類・文書等であったかどうか、不明であり、証明できない。
(4).コピーしたり、他へ持ち出したり、配布したりしなかったか、不明であり、証明できない。
(5).後日、内容を知りたい事情が生じた場合、細断廃棄処理してしまった後は、完全に不可能である。
等の大きな課題があった。
【発明の開示】
【発明が解決しようとする課題】
【０００８】
そこで、本発明は、スキャナーによって、機密書類を細断する前に、１枚宛その表・裏面の各イメージ情報をデジタル信号に変換して入力・記憶・保存するようした、スキャナー付シュレッダを開発し提供し、
【０００９】
また、システムを統括する情報管理センターのサーバーと複数のクライアントをネットワーク構築すると共に、同サーバー本発明スキャナー付シュレッダのスキャナーをネットワーク構築した、スキャナー付シュレッダによる機密書類管理システムを開発し提供することによって、従来の課題を解決したものである。
【００１０】
なお、画像・文字等(画像情報・イメージ情報)を読取り(スキャン)、デジタル信号に変換して記憶・保存するイメージスキャナー
(ｉｍａｇｅ  ｓｃａｎｎｅｒ)が広く使用されており、スキャナーのなかには、ガラス台の原稿上を読取りヘッドが動いてスキャンする方式のフラットベッドキャナーや、原稿をローラー等で１枚宛送り定位置の読取りヘッドがスキャンする方式のシートフィードスキャナーなどがあるが、本発明は、シートフィードスキャナーの方式を採用したものである。
【００１１】
では、何故、元来不要となった文書、紙資料、書類などを機密保持の情報漏洩防止のためたシュレッダでに細断廃棄するものを、わざわざ、記録・保存する必要があるのか、
その理由として、例えば、下記が挙げられる。
１．確実に廃棄処理すべき機密書類が、確実に処理されたことを確認したい、また、どの機密書類を廃棄処理したかを、管理者がチェックしたい。  即ち、不要細断廃棄と決定した文書等を、所持者、担当者、閲覧者、処理責任者、が決められた日時内に、間違いなく細断処理シュレッドしたか否かを、管理者が確認するため。
２．長時間放棄、外部持出、コピーなどを管理、監視、防止、禁止したい。
３．元来が機密保持、情報漏洩防止が必要な重要文書等であるので、配布、送付先の全て文書等を全て細断処理シュレッドしても、限定、特定者だけが記録し、再生可能にしておくことが必要な、便利な場合が多い。
４．常時、高度の機密保持が困難な書類・文書等の状態にしておかないようにする。書類・文書化したものは、必要範囲の部署・メンバーで目を通し、情報を共有した後、速やかに細断処理シュレッドし、再生可能な記録に変換して保存したい。
また、予め情報処理をこのように決めておくことが、処理が確実に細断処理シュレッドし、他に文書が存在しない証拠となる。
５．細断処理後、一定期間再生可能な記録に変換して保存しておくことにより、例えば、誤って細断処理、どの文書等を処理したかの確認、内容確認必要発生に対処できる。
６．再生可能な記録を再生プリントした場合、それが、細断処理の再生記録であることが、一見して判別できる手段(該当文書の前面に独特の表示)ように備えて、再生文書の管理を徹底できる。
【課題を解決するための手段】
【００１２】
即ち、本発明は、機密書類をロールカッターその他のカッターで細断して廃棄処理するように備えたものであるシュレッダにおいて、
投入された１枚以上の機密書類を、１枚宛に分離してから、１枚宛カッターで細断するように備えると共に、
【００１３】
機密書類を１枚宛に分離してカッターへ送給する間に、該１枚の機密書類の表・裏面を各別にスキャンするスキャナーを備えたものであり、
【００１４】
該スキャナーによって、機密書類を細断する前に、１枚宛その表・裏面の各イメージ情報をデジタル信号に変換して入力・記憶・保存するように備えたことを特徴とする、スキャナー付シュレッダによって、課題を解決したものである。
【００１５】
また、本発明は、システムを統括する情報管理センターのサーバー(データーベースサーバーコンピュータ)と複数のクライアント(コンピュータ・パソコン) をＬＡＮ等でネットワーク構築すると共に、
情報管理センターのサーバーとクライアント毎に備えたスキャナー付シュレッダのスキャナーをＬＡＮ等でネットワーク構築したものである、機密書類管理システムであり、
【００１６】
上記機密書類は、機密保持、漏洩防止の対象となる情報であって、リスト状の紙、プラスチック等のシュレッダで細断処理が可能なものに情報を記録したもの、主として紙の機密書類であり、
上記キャナー付シュレッダは、投入された１枚以上の機密書類を、１枚宛に分離してから、１枚宛カッターで細断するように備えると共に、機密書類を１枚宛に分離してカッターへ送給する間に、該１枚の機密書類の表・裏面を各別にスキャンするスキャナーを備えたものであり、
【００１７】
『Ａ』外部からの機密書類その他情報管理センターが管理する機密書類については、
(１)．情報管理センターがデーターベースサーバーとなって各機密書類のデーターを作成・管理・保管し、また、各機密書類の「評価リスト」を作成し、
該評価リストには、管理会議等で定めた(1)機密ランク、(2)配布送・送信先、(3) 受信者の管理条件・処分制限時間等の管理必要事項を記し、以後、機密書類の管理・処分等はこれに従って行い、
(２)．機密書類(ファイル)を情報管理センターからクライアントへ、パスワード・ＩＤ等の認証(要)で送信し、
(３)．受信したクライアントは、認証(済)で機密書類(ファイル)を開き、「評価リスト」に従って、例えば、直ちに、設定部数プリントアウトし、同時にコンピュータの該機密書類(ファイル)を完全削除し、
若しくは、管理ソフトで、プリントアウト終了と同時に自動削除し、
(４)．受信者の手元にあるプリントは、「評価リスト」に記載された制限時間内に、スキャナー付シュレッダで細断処理し、
(５)．シュレッダで細断処理する前に、１枚宛表・裏面をスキャナーでスキャンして、そのデーターを情報管理センターのサーバーに自動的に記録・保存し、
(６)．受信者の手元にあるプリントには、管理ソフトで、コピー(複製)制限を付け、また、管理ソフトで、クライアント相互間の該機密書類ファイルの遣り取りを制限し、
(７)．受信者がプリントを保管している間、情報管理センターへ外出、退社等連絡し、若しくは持参して預け、
(８)．情報管理センターは、スキャナーによる機密書類データーを必要期間保管し、若しくは削除し、若しくは再生しプリントし、但し、管理ソフトで、再生データー、プリント等には、それが一旦廃棄処分したものの再生であることを明示するようにし、
(９)．上記のようにして、情報管理センターは、常時、機密書類の内容、所在、廃棄処分(日時)等を把握して、機密書類の存在・不存在・内容等を確定するようにしたものであり、また、
【００１８】
『Ｂ』内部において機密書類を作成した場合については、
(１)．書類等の作成者は、該書類等を、第１番に、情報管理センターへ送付・送信し、情報管理センターがその書類を「機密書類」と認定した場合は「評価リスト」を作成して、作成者に知らせ、
(２)．該機密書類を、情報管理センターから関係クライアントへ、パスワード・ＩＤ等の認証(要)で送信し、
また、管理ソフトで、作成者と他のクライアントが直接該機密書類ファイルを遣り取りすることを制限し、
(３)．以降、上記『Ａ』の(３)〜(９)と同じくして、機密書類を管理するようにしたことを特徴とする、スキャナー付シュレッダによる機密書類管理システムによって、課題を解決したものである。
【発明の効果】
【００１９】
本発明スキャナー付シュレッダによって、特に、担当者、処理すべき者、処理を命じられた者などが、その機密書類・文書等を、間違いなく確実に、細断廃棄処理したか否かの確証が得られ、誰が、何時、何処で、細断廃棄処理したかを確実に証明でき、また、細断廃棄処理したものが、間違いなくその機密書類・文書等であったかどうかの確証が得られる画期的な効果がある。
【発明を実施するための最良の形態】
【００２０】
シュレッダで、投入された１枚以上の機密書類を、１枚宛に分離してから、１枚宛カッターで細断するように備えると共に、機密書類を１枚宛に分離してカッターへ送給する間に、該１枚の機密書類の表・裏面を各別にスキャンするスキャナーを備え、該スキャナーによって、機密書類を細断する前に、１枚宛その表・裏面の各イメージ情報をデジタル信号に変換して入力・記憶・保存するように備えた、スキャナー付シュレッダ。
【実施例１】
【００２１】
次に、本発明の実施例１を、図１〜３につき説明する。
【００２２】
図１は実施例１のスキャナー付シュレッダの構成概略を示す側面図、図２は正面図、図３は平面図である。
【００２３】
実施例１のスキャナー付シュレッダＳは、扁平函状のケース１の内部に下記の構成を備えたものであり、オフィスデスクの左側面に取付けたものであり、ケース１の上面に開けた投入口２から投入された機密書類(図示省略)を１枚以上重ねた状態で収容する収容室３を備え、該収容室３に機密書類が投入されたことを検知するセンサー４を備え、
また、主電源スイッチ５をパスワード、ＩＤ等による認証者だけがＯＮ・ＯＦＦ操作できるように備え、
【００２４】
収容室３の下端部に、室３内の１枚以上重なった機密書類の下端部を収容室の一方の内側面６にばねの弾力等で押付ける押付板７と、該内側面６に圧接した１枚の機密書類の下端部を回転摩擦で引き出し、１枚宛に分離してロールカッター８へ送給する分離送給ローラー９からなる、１枚分離送給機構１０を備え、
【００２５】
１枚送給されてくる機密書類を細断する１対のロールカッター８、８と、細断された紙片を下部に備えた圧縮スクリュー１１へ滑落するシュート１２と、シュート１２を滑落してくる細断紙片をスクリューの翼板間に導入してスクリュー搬送しスクリュー端で団子状に圧縮する圧縮スクリュー１１と、団子状細断紙片を下方へ排出する排出ローラー１３を備え、
排出ローラー１３で排出落下する団子状細断紙片を貯留するダストボックス１４を備えたシュレッダを設けると共に、
【００２６】
該シュレッダの、収容室３の上記内側面６の下端部付近に、該内側面６に直面した１枚の機密書類の該直面(表面又は裏面)をスキャンするスキャナー１５を備える一方、同１枚の機密書類が１枚分離送給機構で１枚に分離されて次位のロールカッター８、８へ送給される途中位置に、同機密書類の反対側の面(裏面又は表面)をスキャンするスキャナー１６を備えた、スキャナー付シュレッダＳである。
【００２７】
図において、符号１７は１対の排出ローラー、１８は通信ケーブル、１９は駆動モーター、２０はロールカッター８の押しばねを示す。
【実施例２】
【００２８】
図４は、実施例２のスキャナー付シュレッダによる機密書類管理システムの説明図である。
【００２９】
システムを統括する情報管理センターのサーバー(データーベースサーバーコンピュータ)ＳＣと複数のクライアント (コンピュータ・パソコン) Ｃ1〜ＣｎをＬＡＮ等でネットワーク構築すると共に、
【００３０】
情報管理センターのサーバー(データーベースサーバーコンピュータ) ＳＣとクライアントＣ1〜Ｃｎ毎に備えたスキャナー付シュレッダＳ1〜ＳｎのスキャナーをＬＡＮ等でネットワーク構築したものである、機密書類管理システムであり、
【００３１】
『Ａ』外部からの機密書類その他情報管理センターが管理する機密書類については、
(１)．情報管理センターがデーターベースサーバーＳＣとなって各機密書類のデーターを作成・管理・保管し、また、各機密書類の「評価リスト」を作成し、
該評価リストには、管理会議等で定めた(1)機密ランク、(2)配布送・受信先、(3) 受信者の管理条件・処分制限時間等の管理必要事項を記し、以後、機密書類の管理・処分等はこれに従って行い、
(２)．機密書類(ファイル)を情報管理センターＳＣからクライアントＣ1〜Ｃｎへ、パスワード・ＩＤ等の認証(要)で送信し、
(３)．受信したクライアントＣは、認証(済)で機密書類(ファイル)を開き、「評価リスト」に従って、例えば、直ちに、設定部数プリントアウトし、同時にコンピュータの該機密書類(ファイル)を完全削除し、
若しくは、管理ソフトで、プリントアウト終了と同時に自動削除し、
(４)．受信者の手元にあるプリントは、「評価リスト」に記載された制限時間内に、スキャナー付シュレッダＳで細断処理し、
(５)．シュレッダで細断処理する前に、１枚宛表・裏面をスキャナーでスキャンして、そのデーターを情報管理センターのデーターベースサーバーＳＣに自動的に記録・保存し、
(６)．受信者の手元にあるプリントには、管理ソフトで、コピー(複製)制限を付け、また、管理ソフトで、クライアント相互間の該機密書類ファイルの遣り取りを制限し、
(７)．受信者がプリントを保管している間、情報管理センターへ外出、退社等連絡し、若しくは持参して預け、
(８)．情報管理センターは、スキャナーによる機密書類データーを必要期間保管し、若しくは削除し、若しくは再生しプリントし、但し、管理ソフトで、再生データー、プリント等には、それが一旦廃棄処分したものの再生であることを明示するようにし、
(９)．上記のようにして、情報管理センターは、常時、機密書類の内容、所在、廃棄処分(日時)等を把握して、機密書類の存在・不存在・内容等を確定するようにしたものであり、また、
【００３２】
『Ｂ』内部において機密書類を作成した場合については、
(１)．書類(機密？)の作成者は、該書類(機密？)を、第１番に、情報管理センターＳＣへ送付・送信し、情報管理センターがその書類を「機密書類」と認定した場合は「評価リスト」を作成して、作成者に知らせ、
(２)．該機密書類を、情報管理センターから関係クライアントＣへ、パスワード・ＩＤ等の認証(要)で送信し、
また、管理ソフトで、作成者と他のクライアントＣが直接該機密書類ファイルを遣り取りすることを制限し、
(３)．以降、上記『Ａ』の(３)〜(９)と同じくして、機密書類を管理するようにした、スキャナー付シュレッダによる機密書類管理システムを構築したものである。
【００３３】
上記機密書類は、機密保持、漏洩防止の対象となる情報であって、リスト状の紙、プラスチック等のシュレッダで細断処理が可能なものに情報を記録したもの、主として紙の機密書類であり、
【００３４】
上記キャナー付シュレッダＳは、投入された１枚以上の機密書類を、１枚宛に分離してから、１枚宛カッターで細断するように備えると共に、機密書類を１枚宛に分離してカッターへ送給する間に、該１枚の機密書類の表・裏面を各別にスキャンするスキャナーを備えたものであり、
情報管理センターは、例えば、企業等の社長、管理会議・管理部門、管理部長など、全体の統括者・統括部門であり、
評価リストは、機密書類のレベル・ランク、処理時間(即時・１２時間・１０日間)、プリントアウト要・不要・部数等の必須事項をリスト、表等に表したものであり、
認証手段は、パスワード、ＩＤ、バーコード、人体認識等で関係者を確実に認証できる手段であれば適宜である。
【産業上の利用可能性】
【００３５】
本発明は、シュレッダで細断処理が可能な、機密書類・文書、その他、機密保持、漏洩防止の対象となる情報であって、リスト状の紙、プラスチック等に情報を記録したものの、機密を確実に管理する手段として、汎用し得るものである。
【図面の簡単な説明】
【００３６】
【図１】実施例１のスキャナー付シュレッダの構成概略を示す側面図。
【図２】正面図。
【図３】平面図。
【図４】実施例２のスキャナー付シュレッダによる機密書類管理システムの説明図。
【符号の説明】
【００３７】
ＳＣ    情報管理センターのサーバー(コンピュータ、データーベースコンピュータ)
Ｃ・Ｃ1〜Ｃｎ    クライアント(コンピュータ、ＰＣ)
Ｓ・Ｓ1〜Ｓｎ    スキャナー付シュレッダ
１  ケース
２  投入口
３  収容室
４  センサー
５  主電源スイッチ
６  内面側
７  押付板
８  ロールカッター
９  分離送給ローラー
１０  １枚分離機構
１１  圧縮スクリュー
１２  シュート
１３  送りローラー
１４  ダストボックス
１５  スキャナー
１６  スキャナー
１７  排出ローラー
１８  ケーブル
１９  駆動モーター
２０  押しばね
【図１】
2009011942.tif 000003
【図２】
2009011942.tif 000004
【図３】
2009011942.tif 000005
【図４】
2009011942.tif 000006